(57)【要約】【課題】  画面が小さい端末装置において、医療従事者が操作ボタンを押下し続けることなく表示させたい項目を閲覧可能にした看護支援システムを提供することを目的とする。【解決手段】  生成部１０６は、管理装置から表示情報及び画面生成用データを受信して、複数の項目の位置情報とともに全画面データ３００と生成する。表示順設定部１０３は、複数の項目の表示順を示す表示順情報を設定する。端末装置１１０は、表示順情報によって特定される表示順に従って表示情報により特定される項目を選択し項目に該当する項目識別情報と対になる位置情報から項目の表示位置を特定する。そして、選択された項目の表示位置を含む所定の範囲の画面データを全画面データ３００から抽出して表示するようにしている。これにより、医療従事者は端末装置の操作ボタンを押下し続けることなく表示させたい項目を閲覧することができる。【選択図】        図１
2008242773.tif 000002
【特許請求の範囲】
【請求項１】
複数の項目を表示するために前記複数の項目を識別するための項目識別情報を含む表示情報および前記複数の項目を含む画面全体を生成するための画面生成用データを送信する管理装置と、
前記表示情報および前記画面生成用データを受信して前記複数の項目の位置情報とともに前記複数の項目を含む全画面データを生成する生成部と、
前記複数の項目の表示順を示す表示順情報を設定する表示順設定部と、
前記表示情報を前記管理装置および／または前記生成部から受信し前記全画面データを前記生成部から受信して前記表示順情報を前記表示順設定部から受信する端末装置用受信部と、前記端末装置用受信部により受信した前記表示情報と前記全画面データと前記表示順情報とを記憶する端末装置用記憶部と、前記表示順情報を前記端末装置用記憶部から取得し前記表示順情報によって特定される表示順に従って前記表示情報により特定される項目を選択して選択された項目の表示位置を前記位置情報によって特定する項目選択部と、前記項目選択部により選択された項目の表示位置を含む所定の範囲の画面データを前記端末装置用記憶部に記憶されている全画面データから抽出して表示する表示部とを備えた端末装置と、
を具備したことを特徴する看護支援システム。
【発明の詳細な説明】
【技術分野】
【０００１】
本発明は、病院などの医療機関において、医師や看護師などの医療従事者に対する看護業務を支援するための看護支援システムに関する。
【背景技術】
【０００２】
一般に病院では、看護行為を効率的に進めるために看護支援システムが用いられている。従来の看護支援システムでは、医師や看護師などの医療従事者が携帯端末装置（例えば、ＰＤＡ（Ｐｅｒｓｏｎａｌ  Ｄｉｇｉｔａｌ  Ａｓｓｉｓｔａｎｔｓ）や携帯電話）を利用することにより、データの閲覧やデータの入力が行われている。
【０００３】
さらに近年では、医療従事者の職務範囲や端末設置場所の事情に応じて提供データを事前に絞り込むことが可能な医療情報提供システムが開示されている（例えば、特許文献１を参照）。特許文献１に記載の医療情報提供システムでは、端末装置を使用するユーザのユーザ識別情報、その端末装置の端末装置識別情報、患者を識別するための患者識別情報のうち１または複数の識別情報が管理装置によって認識され、その識別情報に対応した表示条件に従って、端末装置で表示される画面の仕様が決定される。特許文献１に記載の医療情報提供システムでは、所望の画面を表示させるための取得信号を端末装置が管理装置に送信する度に、管理装置は、取得信号に対応した画面を構成して、端末装置に送信している。
【特許文献１】特開２００２−３１８８２０号公報
【０００４】
ところで、特許文献１に記載の医療情報提供システムにおいて、表示させたい項目のみを表示するように画面を構成した場合には、医療従事者は、操作負荷を減らすことができる。しかしながら、画面を切り替える度に管理装置に接続して新しい画面を受信する必要があるため、医療従事者は待たされてしまうという問題があった。一方、表示させたい項目だけでなく、それ以外の項目も表示するように画面を構成した場合には、医療従事者は、十字キーなどの操作ボタンを押下して画面をスクロールすることにより、表示させたい項目を画面に表示させることができる。しかしながら、医療従事者は、画面に項目が表示されるまで操作ボタンを押下し続けなければいけないという問題があった。
【発明の開示】
【発明が解決しようとする課題】
【０００５】
本発明は、このような問題を解決するために成されたものであり、画面が小さい端末装置において、医療従事者が操作ボタンを押下し続けることなく、表示させたい項目を閲覧できるようにした看護支援システムを提供することを目的とする。
【課題を解決するための手段】
【０００６】
上述した課題を解決するために、本発明の看護支援システムでは、生成部は、管理装置から表示情報および画面生成用データを受信して、複数の項目の位置情報とともに全画面データを生成する。表示順設定部は、複数の項目の表示順を示す表示順情報を設定する。また、端末装置は、表示情報、全画面データ、表示順情報を受信し、表示順情報によって特定される表示順に従って表示情報により特定される項目を選択して、選択された項目の表示位置を位置情報によって特定する。そして、選択された項目の表示位置を含む所定の範囲の画面データを全画面データから抽出して表示するようにしている。
【発明の効果】
【０００７】
上記のように構成された本発明によれば、選択された項目を含む所定の範囲の画面が自動的に表示される。これにより、医療従事者は、端末装置の操作ボタンを押下し続けることなく、表示させたい項目を閲覧することができる。
【発明を実施するための最良の形態】
【０００８】
以下、本発明の一実施形態を図面に基づいて説明する。本実施形態による看護支援システムのハードウェア構成図を図１に示す。同図に示すように、本実施形態による看護支援システムは、管理装置１００、端末装置１１０を備えて構成されている。
【０００９】
また、管理装置１００は、管理装置用制御部１０１と、管理装置用記憶部１０２と、表示順設定部１０３と、管理装置用受信部１０４と、生成部１０５と、管理装置用送信部１０６と、管理装置用インターフェース（Ｉ／Ｆ）部１０７とを備えている。また、端末装置１１０は、端末装置用制御部１１１と、端末装置用送信部１１２と、端末装置用受信部１１３と、端末装置用記憶部１１４と、操作部１１５と、項目選択部１１６と、表示部１１７と、端末装置用インターフェース（Ｉ／Ｆ）部１１８とを備えている。
【００１０】
図１において、管理装置１００は、医療従事者の居室や各種サーバが設置されているサーバ室などに設置されている。管理装置１００には、複数の端末装置１１０が接続されている。また、端末装置１１０は、無線のネットワークなどを介して管理装置１００に接続されている。なお、本実施形態の端末装置１１０は、ＰＤＡや携帯電話などの携帯端末装置を示す。
【００１１】
管理装置用制御部１０１は、管理装置１００の各構成要素を後述するように制御する。管理装置用記憶部１０２は、表示情報と複数の項目を含む画面全体を生成するための画面生成用データとを記憶する。ここで、表示情報は、管理装置１００および端末装置１１０が項目を識別するための項目識別情報を含んでいる。また、項目とは、看護情報、生体情報、患者情報などの具体的な内容を示す。本実施形態では、項目としてバイタル、検査結果を例示している。また、本実施形態では、バイタルの項目識別情報を項目Ａとし、検査結果の項目識別情報を項目Ｂとしている。
【００１２】
表示順設定部１０３は、複数の項目の表示順を示す表示順情報を設定する。ここで、表示順とは、複数の項目を表示させる順序を示す。また、表示順情報が未設定であると管理装置用制御部１０１にて判断した場合には、管理装置用制御部１０１は、表示順設定部１０３を動作させ、表示順情報設定画面２００を表示する。医療従事者は、表示された表示順情報設定画面２００を見ながら複数の項目を表示させる順序を図示しない操作部により設定する。これにより、表示順設定部１０３は、表示順情報の設定を実施する。
【００１３】
表示順情報設定画面２００は、図２に示すように、表示順情報を設定するための画面である。表示順情報設定画面２００は、全表示項目表示欄２０１、表示順情報表示欄２０２を含んでいる。全表示項目表示欄２０１には、画面に含まれているすべての項目が表示される。表示順情報表示欄２０２には、全表示項目表示欄２０１から選択した項目が表示される。表示順情報表示欄２０２に設定されている項目は、表示順情報として端末装置１１０に送信される。端末装置１１０は、表示順情報表示欄２０２の上から表示されている順序で項目を表示する。医療従事者は、表示順情報表示欄２０２へ項目をドラッグすることにより、項目を選択することができる。本実施形態において、表示順情報表示欄２０２には、１番目に「バイタル」が、２番目に「検査結果」の項目が表示されている。このことから、端末装置１１０で表示される項目も、１番目が「バイタル」、２番目が「検査結果」となる。
【００１４】
管理装置用受信部１０４は、後に説明する全画面データ３００を端末装置１１０が受信するための取得信号を端末装置１１０から受信する。また、取得信号には、全画面データ３００を識別するための識別情報である画面ＩＤが含まれている。管理装置用受信部１０４は、取得信号を受信すると、そこに含まれている画面ＩＤを取得する。端末装置１１０から取得信号を受信したと管理装置用制御部１０１にて判断した場合には、管理装置用受信部１０４は、受信した取得信号から画面ＩＤを取得する。
【００１５】
生成部１０５は、管理装置用記憶部１０２から画面ＩＤに該当する表示情報と画面生成用データとを取得し、取得した表示情報と画面生成用データとから、複数の項目の位置情報とともに複数の項目を含む全画面データ３００を生成する。ここで、位置情報とは、全画面データ３００内の項目の座標を示す。また、位置情報は、項目識別情報と対となっている。そのため、項目の表示位置を特定する処理は、項目識別情報を使用して行われる。
【００１６】
管理装置用送信部１０６は、生成部１０５から受信した表示情報と、生成部１０５にて生成した全画面データ３００と、表示順設定部１０３にて設定した表示順情報とを、取得信号を送信した端末装置１１０へ管理装置用Ｉ／Ｆ部１０７を介して送信する。
【００１７】
管理装置用インターフェース（Ｉ／Ｆ）部１０７は、管理装置１００と端末装置１１０とをネットワークにより接続し、端末装置１１０から送信された取得信号を管理装置用受信部１０４へ通信するとともに、管理装置用送信部１０６から送信された表示情報と全画面データ３００と表示順情報とを端末装置１１０へ通信する。
【００１８】
端末装置用制御部１１１は、端末装置１１０の各構成要素を後述するように制御する。操作部１１５により複数の項目を含む画面を表示する操作が行われたと端末装置用制御部１１１にて判断した場合には、端末装置用制御部１１１は、全画面データ３００を識別するための画面ＩＤを含んだ取得信号を生成する。そして、端末装置用制御部１１１は、端末装置用送信部１１２を動作させる。
【００１９】
端末装置用送信部１１２は、端末装置用制御部１１１によって生成された取得信号を管理装置１００へ送信する。端末装置用受信部１１３は、管理装置１００から送信される表示情報と全画面データ３００と表示順情報とを受信する。端末装置用記憶部１１４は、端末装置用受信部１１３により受信した表示情報と全画面データ３００と表示順情報とを記憶する。
【００２０】
操作部１１５は、医療従事者により端末装置１１０を操作するためのものである。ここで、操作部１１５は、十字キーなどの操作ボタンにより構成されている。十字キーの右方向を示すボタンには、図示しない「次へ」の機能が割り振られている。また、十字キーの左方向を示すボタンには、図示しない「前へ」の機能が割り振られている。また、十字キーの上方向を示すボタンには、図示しない「画面選択」の機能が割り振られている。ここで、「次へ」の機能とは、表示順設定部１０３で設定した表示順情報に基づいて項目に従って次に設定されている項目へ表示を移動することを示す。また、「前へ」の機能とは、表示順設定部１０３で設定した表示順情報に基づいて現在表示されている項目の１つ前に設定されている項目へ表示を移動することを示す。また、「画面選択」の機能とは、全画面データ３００を切り替えるための選択画面（図示しない）を表示することを示す。
【００２１】
また、十字キーの上方向を示すボタン（すなわち、「画面選択」の機能）が押下されたと端末装置用制御部１１１にて判断した場合には、端末装置用制御部１１１は、新しい全画面データ３００を識別するための画面ＩＤを含んだ取得信号を生成する。そして、端末装置用制御部１１１は、端末装置用送信部１１２を動作させる。一方、十字キーの上方向を示すボタンが押下されていない（すなわち、十字キーの右方向を示すボタンまたは左方向を示すボタンが押下された）場合には、端末装置用制御部１１１は、項目選択部１１６を動作させる。
【００２２】
項目選択部１１６は、項目の表示位置を位置情報によって特定する。具体的には、項目選択部１１６は、端末装置用記憶部１１４に記憶されている表示順情報を取得する。項目選択部１１６は、取得した表示順情報によって特定される表示順に従って項目を選択する。項目選択部１１６は、端末装置用記憶部１１４に記憶されている表示情報により、選択した項目に該当する項目識別情報を取得する。項目選択部１１６は、取得した項目識別情報と位置情報とから、選択した項目の表示位置を特定する。
【００２３】
表示部１１７は、項目選択部１１６により選択された項目の表示位置を含む所定の範囲の画面データを端末装置用記憶部１１４に記憶されている全画面データ３００から抽出して表示する。ここで、表示部１１７は、全画面データ３００により生成される画面全体を一度に表示できない程度の大きさである。また、所定の範囲とは、表示部１１７が一度に表示できる範囲を示す。例えば、管理装置１００の画面は１５〜２０インチ程度の大型のものであるのに対し、端末装置１１０の画面は２．５インチ程度の小型のものである。端末装置１１０の画面は、一度に表示できる範囲が小さい。そのため、表示部１１７は、選択された項目の表示位置を含む所定の範囲の画面データを表示する。
【００２４】
全画面データ３００は、図３に示すように、表示させたい画面全体のデータである。また、全画面データ３００は、複数の項目（本実施形態では、「バイタル」、「検査結果」を示す）を含んでいる。また、項目選択部１１６により選択された項目の表示位置を特定させるため、それぞれの項目には、項目識別情報（本実施形態では、項目Ａ、項目Ｂを示す）と位置情報（本実施形態では、座標（Ｘ，Ｙ）、座標（Ｘ’，Ｙ’）を示す）とが割り振られている。医療従事者は、操作部１１５の図示しない十字キーの右方向を示すボタン、十字キーの左方向を示すボタンを押下することによって、全画面データ３００から項目を含む所定の範囲の画面を表示することができる。表示部１１７は、全画面データ３００内の画面データＡ、画面データＢを抽出して操作部１１５の操作に従って順番に表示する。また、十字キーの上方向を示すボタンを押下することによって、全画面データ３００を切り替え、所定の範囲の画面を表示することができる。
【００２５】
図４に示す表示画面４０１および表示画面４０２は、図３の項目Ａおよび項目Ｂにおける表示画面である。表示部１１７は、表示画面４０１または表示画面４０２を表示する。表示部１１７は、表示順設定部１０３にて設定した表示順情報に従って項目を表示する。ここで、表示順設定部１０３には、図２の表示順情報設定画面２００に示すように、「バイタル」、「検査結果」の順に表示順情報が設定されているので、表示部１１７は、１番目に「バイタル」の項目を表示し、２番目に「検査結果」の項目を表示する。
【００２６】
端末装置用受信部１１３にて管理装置１００から送信される表示情報と全画面データ３００と表示順情報とを受信すると、端末装置用制御部１１１は、項目選択部１１６を動作させ、端末装置用記憶部１１４に記憶されている表示順情報を取得し、１つ目の項目である「バイタル」を選択する。項目選択部１１６は、端末装置用記憶部１１４に記憶されている表示情報により、「バイタル」の項目に該当する項目識別情報を取得する。また、項目選択部１１６は、取得した項目識別情報と対になる位置情報から選択した項目の表示位置を特定する。ここで、「バイタル」の項目識別情報は、項目Ａとなり、表示位置は、座標（Ｘ，Ｙ）となる。そして、表示部１１７は、項目Ａが画面の中央に来るように図４ａ）の表示画面４０１に移動して表示する（すなわち、表示部１１７は、画面データＡを抽出して表示する）。
【００２７】
図４ａ）の表示画面４０１において、操作部１１５の十字キーの右方向を示すボタンが押下されると、端末装置用制御部１１１は、「次へ」の機能の処理を行うと判断し、項目選択部１１６を動作させ、端末装置用記憶部１１４に記憶されている表示順情報を取得し、次の項目である「検査結果」を選択する。項目選択部１１６は、端末装置用記憶部１１４に記憶されている表示情報により、「検査結果」の項目に該当するの項目識別情報を取得する。また、項目選択部１１６は、取得した項目識別情報と対となる位置情報から選択した項目の表示位置を特定する。ここで、「検査結果」の項目識別情報は、項目Ｂとなり、表示位置は、座標（Ｘ’，Ｙ’）となる。そして、表示部１１７は、項目Ｂが画面の中央に来るように図４ｂ）の表示画面４０２に移動して表示する（すなわち、表示部１１７は、画面データＢを抽出して表示する）。また、表示部１１７に最後の項目が表示されているときに、操作部１１５の十字キーの右方向を示すボタンが押下されると、次の項目が存在しないので、表示部１１７は、表示順設定部１０３にて設定した１番目の項目を表示する。
【００２８】
また、図４ｂ）の表示画面４０２において、操作部１１５の十字キーの左方向を示すボタンが押下されると、端末装置用制御部１１１は、「前へ」の機能の処理を行うと判断し、項目選択部１１６を動作させ、端末装置用記憶部１１４に記憶されている表示順情報を取得し、１つ前の項目である「バイタル」を選択する。項目選択部１１６は、端末装置用記憶部１１４に記憶されている表示情報により、「バイタル」の項目に該当する項目識別情報を取得する。また、項目選択部１１６は、取得した項目識別情報と対になる位置情報から選択した項目の表示位置を特定する。ここで、「バイタル」の項目識別情報は、項目Ａとなり、表示位置は、座標（Ｘ，Ｙ）となる。そして、表示部１１７は、項目Ａが画面の中央に来るように図４ａ）の表示画面４０１に移動して表示する（すなわち、表示部１１７は、画面データＡを抽出して表示する）。また、表示部１１７に最初の項目が表示されているときに、操作部１１５の十字キーの左方向を示すボタンが押下されると、前の項目が存在しないので、表示部１１７は、表示順設定部１０３にて設定した１番最後の項目（２番目の項目）を表示する。
【００２９】
端末装置用インターフェース（Ｉ／Ｆ）部１１８は、管理装置１００と端末装置１１０とをネットワークにより接続し、端末装置用送信部１１２から送信された取得信号を管理装置１００へ通信するとともに、管理装置１００から送信された表示情報と全画面データ３００と表示順情報とを端末装置用受信部１１３へ通信する。
【００３０】
次に、本実施形態による看護支援システムの動作を説明する。図５および図６は、本実施形態による看護支援システムの動作を示すフローチャートである。同図に示すように、看護支援システムの動作は、図５に示す管理装置１００での動作と図６に示す端末装置１１０での動作とに分かれる。管理装置１００では、図５に示すように、表示順情報を設定したか否かの判定を管理装置用制御部１０１にて行う（ステップ５０１）。表示順情報の設定を完了していると管理装置用制御部１０１にて判断した場合には（ステップ５０１にてＹＥＳ）、ステップ５０３へ移行する。一方、表示順情報の設定を完了していないと管理装置用制御部１０１が判断した場合には（ステップ５０１にてＮＯ）、管理装置用制御部１０１は、表示順設定部１０３を動作させ、表示順情報設定画面２００を表示する。医療従事者が表示順情報設定画面２００で表示させる順序を設定することにより、表示順設定部１０３は、表示順情報を設定し（ステップ５０２）、ステップ５０３へ移行する。
【００３１】
ステップ５０３では、端末装置１１０から取得信号を受信したか否かの判定を管理装置用制御部１０１にて行う。取得信号を受信していないと管理装置用制御部１０１にて判断した場合には（ステップ５０３にてＮＯ）、管理装置用制御部１０１は、ステップ５０３の処理に戻り、取得信号を受信するまで処理を継続する。一方、取得信号を受信したと管理装置用制御部１０１にて判断した場合には（ステップ５０３にてＹＥＳ）、管理装置用受信部１０４は、受信した取得信号から画面ＩＤを取得する（ステップ５０４）。また、管理装置用制御部１０１は、生成部１０５を動作させ、管理装置用受信部１０４にて取得した画面ＩＤに対応する表示情報と画面生成用データとを管理装置用記憶部１０２から読み出し、複数の項目の位置情報とともに複数の項目を含む全画面データ３００を生成する（ステップ５０５）。管理装置用制御部１０１は、表示順設定部１０３にて設定した表示順情報を取得する（ステップ５０６）。
【００３２】
ステップ５０６の処理を行うと、管理装置用制御部１０１は、管理装置用送信部１０６を動作させ、表示情報と全画面データ３００と表示順情報とを、取得信号を送信した端末装置１１０へ管理装置用Ｉ／Ｆ部１０７を介して送信する（ステップ５０７）。ステップ５０７の処理を行うと、管理装置用制御部１０１は、ステップ５０３の処理に戻る。
【００３３】
端末装置１１０では、図６に示すように、操作部１１５により表示操作が行われたか否かの判定を端末装置用制御部１１１にて行う（ステップ６０１）。表示操作が行われていないと端末装置用制御部１１１にて判断した場合には（ステップ６０１にてＮＯ）、端末装置用制御部１１１は、ステップ６０１の処理に戻り、表示操作が行われるまで処理を継続する。
【００３４】
一方、表示操作が行われたと端末装置用制御部１１１にて判断した場合には（ステップ６０１にてＹＥＳ）、端末装置用制御部１１１は、例えば、十字キーの上方向の操作により実現する画面選択ボタン（すなわち、「画面選択」の機能）が押下されたか否かの判定を行う（ステップ６０２）。画面選択ボタンが押下されていない場合には、（ステップ６０２にてＹＥＳ）、端末装置用制御部１１１は、ステップ６０７へ移行する。一方、画面選択ボタンが押下された場合には（ステップ６０２にてＮＯ）、端末装置用制御部１１１は、操作部１１５により指定した全画面データ３００を識別するための画面ＩＤを含んだ取得信号を生成する（ステップ６０３）。そして、端末装置用制御部１１１は、端末装置用送信部１１２を動作させ、生成した取得信号を管理装置１００へ送信する（ステップ６０４）。
【００３５】
次に、端末装置１１０では、管理装置１００から表示情報と全画面データ３００と表示順情報との各情報を受信したか否かの判定を端末装置用制御部１１１にて行う（ステップ６０５）。各情報を受信していないと端末装置用制御部１１１にて判断した場合には（ステップ６０５にてＮＯ）、端末装置用制御部１１１は、ステップ６０５の処理に戻り、各情報を受信するまで処理を継続する。一方、各情報を受信したと端末装置用制御部１１１にて判断した場合には（ステップ６０５にてＹＥＳ）、端末装置用受信部１１３は、受信した各情報を端末装置用記憶部１１４に保存する（ステップ６０６）。その際、端末装置用記憶部１１４は、すでに記憶している表示情報と全画面データ３００と表示順情報とに対して上書き保存する。
【００３６】
端末装置用制御部１１１は、項目選択部１１６を動作させ、端末装置用記憶部１１４に記憶されている表示順情報を取得する（ステップ６０７）。項目選択部１１６は、取得した表示順情報によって特定される表示順に従って次の項目を選択する（ステップ６０８）。また、項目選択部１１６は、端末装置用記憶部１１４に記憶されている表示情報により、選択した項目に該当する項目識別情報を取得する（ステップ６０９）。また、項目選択部１１６は、取得した項目識別情報と対となる位置情報から選択した項目の表示位置を特定する（ステップ６１０）。表示部１１７は、該当する項目の表示位置が画面の中央に来るように所定の範囲の画面データを、端末装置用記憶部１１４に記憶されている全画面データ３００から抽出する（ステップ６１１）。そして、表示部１１７は、抽出した画面データを表示する（ステップ６１２）。
【００３７】
終了操作が行われたか否かの判定を端末装置用制御部１１１にて行う（ステップ６１３）。終了操作が行われたと端末装置用制御部１１１にて判断した場合には、（ステップ６１３にてＹＥＳ）、端末装置１１０の動作を終了する。一方、終了操作が行われていないと端末装置用制御部１１１にて判断した場合には、（ステップ６１３にてＮＯ）、ステップ６０１の処理に戻る。
【００３８】
以上詳しく説明したように、本発明の看護支援システムでは、生成部１０６は、管理装置から表示情報および画面生成用データを受信して、複数の項目の位置情報とともに全画面データ３００を生成する。表示順設定部１０３は、複数の項目の表示順を示す表示順情報を設定する。また、端末装置１１０は、表示情報、全画面データ３００、表示順情報を受信し、項目選択部１１６により、表示順情報を取得し、表示順情報によって特定される表示順に従って表示情報により特定される項目を選択する。項目選択部１１６は、表示情報により特定される項目に該当する項目識別情報を取得し、取得した項目識別情報と対になる位置情報から選択した項目の表示位置を特定する。そして、選択された項目の表示位置を含む所定の範囲の画面データを全画面データ３００から抽出して表示するようにしている。これにより、選択された項目を含む所定の範囲の画面が自動的に表示されるので、医療従事者は、端末装置の操作ボタンを押下し続けることなく、表示させたい項目を閲覧することができる。
【００３９】
なお、前述した実施形態では、管理装置１００に表示順設定部１０３を設けているがこれに限定されない。例えば、端末装置１１０に表示順設定部を設けるようにしても良い。これにより、端末装置１００毎に表示順情報を設定することができる。
【００４０】
また、前述した実施形態では、看護情報、生体情報、患者情報などの具体的な内容を項目としているが、これに限定されない。例えば、看護情報、生体情報、患者情報などの入力欄を項目としても良い。これにより、医療従事者は、入力を行いたい入力欄を素早く表し、入力を行うことができる。
【００４１】
また、前述した実施形態では、表示部１１７は、項目選択部１１６により特定した項目の表示位置が画面の中央に来るように表示画面４０１を表示しているがこれに限定されない。例えば、表示部１１７は、項目選択部１１６により特定した項目表示位置が画面の先頭（例えば、左上など）に来るように表示しても良い。
【００４２】
また、前述した実施形態では、次の項目や前の項目を表示する場合に、表示部１１７は、瞬時に移動させて表示画面４０１を表示しているがこれに限定されない。例えば、表示部１１７は、スクロールにより画面を移動させるようにしても良い。ここで、表示部１１７は、画面のスクロールの途中に表示させる画面データを全画面データ３００から抽出する。
【００４３】
また、前述した実施形態では、画面を作るためのデータから全画面データ３００を生成する生成部１０５は、管理装置１００に備えられているがこれに限定されない。例えば、端末装置１１０に備えられるようにしても良い。これにより、端末装置１１０にて全画面データ３００を生成することができる。
【図面の簡単な説明】
【００４４】
【図１】本実施形態の看護支援システムのブロック図である。
【図２】管理装置の表示順情報設定画面例を示す説明図である。
【図３】全画面データを示す説明図である。
【図４】端末装置の表示画面例を示す説明図である。
【図５】本実施形態による看護支援システムの動作を示すフローチャート（その１）である。
【図６】本実施形態による看護支援システムの動作を示すフローチャート（その２）である。
【符号の説明】
【００４５】
１００  管理装置
１０１  管理装置用制御部
１０２  管理装置用記憶部
１０３  表示順設定部
１０４  管理装置用受信部
１０５  生成部
１０６  管理装置用送信部
１０７  管理装置用インターフェース（Ｉ／Ｆ）部
１１０  端末装置
１１１  端末装置用制御部
１１２  端末装置用送信部
１１３  端末装置用受信部
１１４  端末装置用記憶部
１１５  操作部
１１６  項目選択部
１１７  表示部
１１８  端末装置用インターフェース（Ｉ／Ｆ）部
２００  表示順情報設定画面
２０１  全表示項目表示欄
２０２  表示順情報表示欄
３００  全画面データ
４０１  表示画面
４０２  表示画面
【図１】
2008242773.tif 000003
【図２】
2008242773.tif 000004
【図３】
2008242773.tif 000005
【図４】
2008242773.tif 000006
【図５】
2008242773.tif 000007
【図６】
2008242773.tif 000008